(57)【要約】【課題】ずり落ち防止構造が外側に露出しないロングブーツのずり落ち防止構造を提供する。【解決手段】脚にはめる円筒状ゴム輪５の外面及びロングブーツ３の上部の内面に、面ファスナー７を設ける。この面ファスナー７は、ループ状のメス側１１が円筒状ゴム輪５の外面に設けられ、オス側９がロングブーツ３の上部の内面に設けられ、このようにメスオス対となる面ファスナー７が、円筒状ゴム輪５の直径方向の２ヵ所に設けられる。ロングブーツ３を履くには、例えば、まず、円筒状ゴム輪５を脚にはめ、次に、ロングブーツ３を履く。そして、円筒状ゴム輪５の外面に設けられた面ファスナー７のメス側１１を、ロングブーツ３の上部の内面に設けられたオス側９に、押しつけ、留める。【選択図】図１
0003166783.tif 000002
【実用新案登録請求の範囲】
【請求項１】
ロングブーツの上部が脚からずり落ちるのを防止するために、脚にはめる円筒状ゴム輪と、この円筒状ゴム輪の外面及び前記ロングブーツの上部の内面に設けられる面ファスナーと、を有してなることを特長とするロングブーツずり落ち防止構造。
【請求項２】
前記ロングブーツは、ニーハイブーツであり、前記面ファスナーは、前記円筒状ゴム輪の直径方向の２ヵ所に設けられることを特長とする請求項１に記載のロングブーツずり落ち防止構造。
【考案の詳細な説明】
【技術分野】
【０００１】
この考案は、ロングブーツの上部が脚からずり落ちるのを防止するための構造に関する。
【背景技術】
【０００２】
ロングブーツは女性にとってファッションの重要な要素となる。しかし、歩いてるうちにロングブーツの上部が脚からずり落ち、本来のファッション感覚を損なうことがある。特に、近年流行しているニーハイブーツは、ブーツの上端が膝の上まであるほどの丈の長いブーツであることが特色となっているが、歩いてるうちに上部が下がってきて丈が短くなると、そもそもニーハイブーツとしての意味がなくなってしまう。
【０００３】
ニーハイブーツ以外の他のロングブーツも、長く履くうちに足首部分に横皺ができ、上下に波打ち、皮がたまって、本来のブーツの長さより短くなることが多々ある。ブーツの丈が短くなると、多くの場合にはスタイルが悪く見えるのと、ブーツが古く見えるのとで、女性には脚もとファッションの悩みの一つである。
【０００４】
なお、下記特許文献１には、靴下のずり落ちを防止するために、靴下の上部にテープを巻き付け、そのテープを面ファスナーで固定するものが開示されている。
【先行技術文献】
【特許文献】
【０００５】
【特許文献１】欧州特許抄録８７３６９２
【考案の概要】
【考案が解決しようとする課題】
【０００６】
しかしながら、仮に上記特許文献１の内容を、ロングブーツに転用し、ロングブーツの上部にテープを巻き付け、テープを面ファスナーで固定するとすれば、テープや面ファスナーがロングブーツの外側に露出してしまい、よって大きくファッション感覚を損なってしまう。
【０００７】
この考案は、以上の問題点を解決するために、ずり落ち防止構造が外側に露出しないロングブーツのずり落ち防止構造を提供することを目的とする。
【課題を解決するための手段】
【０００８】
以上の課題を解決するために、第一考案は、ロングブーツの上部が脚からずり落ちるのを防止するために、脚にはめる円筒状ゴム輪と、この円筒状ゴム輪の外面及び前記ロングブーツの上部の内面に設けられる面ファスナーと、を有してなることを特長とするロングブーツずり落ち防止構造である。
【０００９】
第二考案は、さらに、前記ロングブーツはニーハイブーツであり、前記面ファスナーは、前記円筒状ゴム輪の直径方向の２ヵ所に設けられることを特長とする請求項１に記載のロングブーツずり落ち防止構造である。
【考案の効果】
【００１０】
第一、又は第二考案によれば、脚にはめる円筒状ゴム輪は面ファスナーによってロングブーツの上部の内面に留められ、かつ、円筒状ゴム輪や面ファスナーを有してなるずり落ち防止構造は、ロングブーツの上部によって覆い隠されるので、外側に露出しない。
また、面ファスナーが設けられた円筒状ゴム輪を、他のブーツと共有することもできる。
さらに、面ファスナーを有さずに円筒状ゴム輪が直接にロングブーツ内面に設けられる場合に比べ、まず円筒状ゴム輪５を脚にはめて次にロングブーツ３を履くこともでき、そのようにしてロングブーツを履けば、ロングブーツの上端が閉じてしまわないので、履きやすい。また、円筒状ゴム輪がロングブーツとは別体なので、円筒状ゴム輪の交換が容易である。また、円筒状ゴム輪が傷んでも修理が容易である。
【００１１】
第二考案によれば、さらに、面ファスナーが、前記円筒状ゴム輪の直径方向の２ヵ所に設けられることから、１ヵ所にしか設けられない場合に比べ、ロングブーツの上端が面ファスナーの設けられていない方に傾くということが無い。そして３ヵ所以上に設けられる場合に比べ、ロングブーツの上端が、波打ってしまうということが無い。
【図面の簡単な説明】
【００１２】
【図１】この考案の一実施形態に係るロングブーツずり落ち防止構造を有するロングブーツ全体の斜視図である。
【図２】図１のロングブーツずり落ち防止構造を拡大して示すもので、（Ａ）は円筒状ゴム輪を取り外した状態の図、（Ｂ）は円筒状ゴム輪を装着した状態の図である。
【考案を実施するための形態】
【００１３】
この考案の実施形態を、図１及び図２に示す。
［全体概略］
このロングブーツずり落ち防止構造１は、ロングブーツのうちでも丈が長いニーハイブーツ３の上部が、脚からずり落ちるのを防止するためのものである。脚の膝付近にはめる円筒状ゴム輪５が用意される。面ファスナー７は、ループ状のメス側１１が円筒状ゴム輪５の外面に設けられ、オス側９がロングブーツ３の上部の内面に設けられる。このように配置されてメスオス対となる面ファスナー７が、円筒状ゴム輪５の直径方向の２ヵ所に、すなわち円筒状ゴム輪５の長手方向の２ヵ所に等間隔に設けられる。
【００１４】
［円筒状ゴム輪５］
円筒状ゴム輪５は、脚の肌に接しても違和感の少ないように、布地１３に包まれ、内部には図示しない細い輪ゴムが多数本、幅方向に配置される。布地１３の外表面に、面ファスナー７のメス側１１が縫いつけられて設けられる。輪ゴムを多数本とすることで、締付けられる感覚は柔らかく、ずれ落ち防止力は高い。
【００１５】
［面ファスナー７］
面ファスナー７は、平面形状が丸く、オス側９が、細かな鉤状の突起が多数植え込まれた状態をなし、メス側１１が、細かなＵ字状でループ状のものが多数多数植え込まれた状態をなす。鉤状の突起がループ状のものに係止し、機能を果たす。メス側１１は、円筒状ゴム輪５の布地１３に接着剤や縫製により設けられる。オス側９は、ロングブーツ３の上部の内面に接着剤や縫製により設けられる。
【００１６】
「実施形態の作用・効果」
このずり落ち防止構造を用いてロングブーツ３を履くには、例えば以下のようにする。まず、円筒状ゴム輪５を脚にはめる。次に、ロングブーツ３を履く。そして、円筒状ゴム輪５の外面に設けられた面ファスナー７のメス側１１を、ロングブーツ３の上部の内面に設けられたオス側９に、押しつけ、留める。２ヵ所の面ファスナー７について、同じように留める。このようにして、長時間歩いても、あるいは勢いよく歩いても、ロングブーツ３のずり落ち防止機能を得ることができ、ずり落ちによりファッション感覚を損なうことがない。
【００１７】
そして、円筒状ゴム輪５や面ファスナー７を有してなるずり落ち防止構造は、ロングブーツ３の上部によって覆い隠されるので、外側に露出せず、人目に触れることがないので、ファッション感覚を損なうことがない。
また、面ファスナー７が設けられた円筒状ゴム輪５を、他のブーツと共有することもでき、複数のブーツには面ファスナー７のオス側９だけを設けておけばよい。これにより、使用しないブーツに常に円筒状ゴム輪５を留めておく必要がなくなり、円筒状ゴム輪５によってブーツの上部に波状の皺が寄ることを防止できる。
【００１８】
さらに、仮に、面ファスナー７を有さずに円筒状ゴム輪５が直接にロングブーツ内面に設けられる場合には、履いていないときに、円筒状ゴム輪５の力でロングブーツ３の上端が閉じてしまうので、ロングブーツ３を履く際に、閉じた上端から足を入れなければならず、履きにくい。それに比べ、円筒状ゴム輪５が脚にはめられた状態で、ロングブーツ３を履けば、ロングブーツ３の上端が閉じていないので、履きやすい。
【００１９】
また、円筒状ゴム輪５がロングブーツ３とは別体なので、経年変化のなどで円筒状ゴム輪５が劣化した等の場合には、円筒状ゴム輪５の交換が容易である。また、円筒状ゴム輪５が傷んでも、ロングブーツ３に関係なく円筒状ゴム輪５にだけ修理を施せばよいので、修理が容易である。
【００２０】
さらに、ループ状のメス側１１が円筒状ゴム輪５に設けられることで、スカートなどの衣服に引っかかりにくい。
【００２１】
また、面ファスナー７が、円筒状ゴム輪５の直径方向の２ヵ所に設けられることから、１ヵ所にしか設けられない場合に比べ、ロングブーツ３の上端が面ファスナー７の設けられていない方に傾くということが無い。例えば、右足のブーツで右側の１ヵ所にしか設けられない場合には、左側に傾いてしまう恐れがある。これに比べ、左右の２ヵ所に設ければ、左右のどちら側にも傾く恐れがない。
【００２２】
また、３ヵ所以上に設けるとすれば、ロングブーツ３の上端が、３ヵ所以上の部分で内側に寄り、それらの間の３ヵ所以上で外側に寄り、結局、波打った状態になるので、見た目上、好ましくない。これに対して、２ヵ所に設ければ、２ヵ所の部分で内側に寄り、それらの間の２ヵ所で外側に寄るものの、結局は、楕円状態になるにすぎず、見た目上、ロングブーツ３の上端の形状としては、より自然である。
【００２３】
「他の実施形態」
以上の実施形態では、円筒状ゴム輪５は、細い輪ゴムが多数本、布地１３に包まれたものであったが、他の実施形態では、これに限らず、他の構造でもよい。例えば、円筒状の一体的なシリコンゴム製でもよい。
【００２４】
以上の実施形態では、面ファスナー７のオス側９が鉤状であったが、他の実施形態では、鉤状ではなく、他の形状、例えばキノコ状上などでもよい。
以上の実施形態では、このずり落ち防止構造を用いてロングブーツ３を履くには、まず、円筒状ゴム輪５を脚にはめ、次に、ロングブーツ３を履くものであったが、他の実施形態では、あらかじめ、円筒状ゴム輪５を面ファスナー７によりロングブーツ３に留めた状態で、ロングブーツ３を履いてもよい。
以上の実施形態では、面ファスナー７は平面形状が丸い形状であったが、他の実施形態では、丸に限らず、四角、三角、その他の多角形、それ以外の平面形状でも構わない。
【符号の説明】
【００２５】
１…ロングブーツずり落ち防止構造、３…ロングブーツ、５…円筒状ゴム輪、７…面ファスナー、９…オス側、１１…メス側、１３…布地。
【図１】
0003166783.tif 000003
【図２】
0003166783.tif 000004